(57)【要約】      （修正有）【課題】樹木の周囲に簡単に巻き付けて使用することができ、装着作業性が容易で、樹木の樹皮等を鹿、熊などの獣害から良好に保護することができる樹木保護具を提供する。【解決手段】保護具本体１は、合成樹脂シートを素材としてラス網状に形成され、保護具本体１には、矩形に裁断された合成樹脂シートに多数の縦の切れ目５を入れた状態で、合成樹脂シートを高さ方向と直角の幅方向に伸長して、縦長六角形の網目４が多数形成される。保護具本体１は、樹木の周囲に装着したとき、円筒状となって、縮径方向または拡径方向に弾性変形可能な状態で、樹木の周囲に保持される。【選択図】図２
0003171117.tif 000002
【実用新案登録請求の範囲】
【請求項１】
網状の保護具本体を樹木の周囲に巻き付けて使用する樹木保護具であって、
該保護具本体は、合成樹脂シートを素材としてラス網状に形成され、
該保護具本体には、矩形に裁断された該合成樹脂シートに多数の縦の切れ目を入れた状態で、該合成樹脂シートを該高さ方向と直角の幅方向に伸長して、縦長六角形の網目が多数形成され、
樹木の周囲に巻き付けて装着したとき、該円筒状の保護具本体は、その縮径方向または拡径方向に弾性変形可能に形成されたことを特徴とする樹木保護具。
【請求項２】
前記保護具本体は、樹木の周囲に重なり部が生じる状態で巻き付けられて装着され、該重なり部が結束帯体により結束されることを特徴とする請求項１記載の樹木保護具。
【考案の詳細な説明】
【技術分野】
【０００１】
本考案は、樹木の樹皮等が、鹿、熊などの獣害により、樹皮剥ぎされる被害等から、樹木を保護する樹木保護具に関する。
【背景技術】
【０００２】
造林や林業の分野において、山間部などに造林された樹木の樹皮が、鹿、熊などにより樹皮剥ぎされ、或いは食害される被害に遭遇すると、樹木の生育が阻害されて、材木としての価値が著しく低下する。また、最悪の場合には、樹木が根から養分や水分を吸い上げることができずに枯死することがあり、そのような場合には、苗木をさらに植林しなおす必要が生じる。
【０００３】
このため、従来、下記特許文献１により、樹木の幹の周囲に巻き付けて使用する樹木保護用シートが提案されている。
【先行技術文献】
【特許文献】
【０００４】
【特許文献１】特開２００５−１５１９７０号公報
【考案の概要】
【考案が解決しようとする課題】
【０００５】
この従来の樹木保護用シートは、シート本体を適用する樹木の幹に巻き付け、ゴムバンドでシート本体を止めるように使用される。山間部などに造林された樹木に、このような樹木保護用シートを装着する場合、ロール状に巻かれたシートとゴムバンドを持って山間部に入ることとなる。また、急勾配の斜面などの足場の悪い場所で、ロール状に巻かれたシートロールから樹木保護用シートを必要な長さだけ切り取り、それを樹木に巻き付け、さらに、その外側にゴムバンドを巻き付けて止めるように使用される。
【０００６】
このため、従来のこの種の樹木保護用シートは、ロール状に巻かれたシートとゴムバンドを持って山間部に入る必要があり、さらに、急勾配の斜面などの足場の悪い場所で、ロール状に巻かれたシートロールから樹木保護用シートを必要な長さだけ切り取り、それを樹木に巻き付け、さらに、その外側にゴムバンドを巻き付けて止めるという、煩雑な作業が必要とされる課題があった。
【０００７】
さらに、樹木保護用シートは、不織布などから形成されるため、樹木の幹に巻き付けた場合、シートの内側に雨水や害虫などが溜まる不具合があり、また、樹木の樹皮にとって必要な太陽光がシートにより遮光されやすいという不具合が生じる課題があった。
【０００８】
本考案は、上述の課題を解決するものであり、樹木の周囲に簡単に巻き付けて使用することができ、装着作業性が容易で、樹木の樹皮等を鹿、熊などの獣害から良好に保護することができる樹木保護具を提供することを目的とする。
【課題を解決するための手段】
【０００９】
本考案に係る樹木保護具は、網状の保護具本体を樹木の周囲に巻き付けて使用する樹木保護具であって、該保護具本体は、合成樹脂シートを素材としてラス網状に形成され、該保護具本体には、矩形に裁断された該合成樹脂シートに多数の縦の切れ目を入れた状態で、該合成樹脂シートを高さ方向と直角の幅方向に（左右横方向に）伸長して、縦長六角形の網目が多数形成され、樹木の周囲に巻き付けて装着したとき、該円筒状の保護具本体は、その縮径方向または拡径方向に弾性変形可能に形成されたことを特徴とする。
【００１０】
この考案によれば、保護具本体が、樹木の周囲に巻き付けて装着したとき、該円筒状の保護具本体はその縮径方向または拡径方向に弾性変形可能とされるので樹木の周囲に巻き付けて装着する際には、保護具本体の縮径方向または拡径方向の弾性変形な性質を利用して、非常に簡単に、且つ良好な作業性で、樹木の周囲に装着することができる。
【００１１】
また、保護具本体はラス網状に形成されるので、樹皮と保護具本体との間に雨水や害虫などが溜まる不具合はなく、樹皮に太陽光を良好に当てることもでき、鹿、熊などによる樹皮剥ぎや樹皮の食害から、樹木を良好に保護することができる。
【００１２】
さらに、保護具本体はその縮径方向または拡径方向に弾性変形可能に樹木に装着されるので、樹木の外径に大小や凹凸があっても、その外周面に良好にフィットさせることができ、また、樹木の生長に伴い樹木の太さが増大しても、保護具本体がその円周方向に自在に伸長し、樹木の生長を妨げることはない。
【００１３】
ここで、上記樹木保護具において、その保護具本体は、樹木の周囲に重なり部が生じる状態で巻き付けられて装着され、該重なり部が結束帯体により結束されることを特徴とする。これによれば、網目を利用して保護具本体の重なり部を結束帯体により簡単に結束することができ、保護具本体の装着状態を確実に保持することができる。
【考案の効果】
【００１４】
本考案の樹木保護具によれば、樹木の周囲に簡単に巻き付けて使用することができ、装着作業性が容易で、樹木の樹皮等を鹿、熊などの獣害から良好に保護することができる。
【図面の簡単な説明】
【００１５】
【図１】本考案の一実施形態を示す樹木保護具の斜視図である。
【図２】保護具本体を左右幅方向に伸長させた状態の正面図である。
【図３】使用状態を示す樹木保護具の正面図である。
【考案を実施するための形態】
【００１６】
以下、本考案の一実施形態を図面に基づいて説明する。本樹木保護具は、図１、図２に示すように、網状の保護具本体１を樹木の周囲に巻き付けて使用する樹木保護具である。保護具本体１は、合成樹脂シートを素材としてラス網状に形成されている。
【００１７】
すなわち、保護具本体１は、その製造時、例えば帯状に成形された合成樹脂シートに多数の縦の切れ目５を入れた状態で、合成樹脂シートを高さ方向と直角の幅方向に（図２の左右横方向に）伸長して、縦長六角形の網目４が多数形成される。合成樹脂シートの材料としては、ポリプロピレン、ポリエチレン、生分解性プラスチック等を使用することができる。
【００１８】
保護具本体１は、縦長六角形の網目が多数形成されたラス網状に形成されるので、高さ方向と直角の幅方向に（図２の左右横方向に）に伸張した場合、容易に弾性変形することができ、樹木の周囲に巻き付けて装着したとき、円筒状の保護具本体１は、その縮径方向または拡径方向に、容易に弾性変形可能となっている。
【００１９】
保護具本体１を製造する際に素材となる合成樹脂シートは、例えば厚さ約１．５ｍｍのポリプロピレン樹脂或いはポリエチレン樹脂製のシートである。この合成樹脂シートに、所定の長さの切れ目５を、所定の間隔で、左右に位置をずらしながら、上下に多段状に形成し、その状態で、図２に示すように、左右の幅方向端部２，２を把持した状態で、合成樹脂シートを左右幅方向に伸長させて成形される。
【００２０】
これにより、合成樹脂シートには、図２の如く、多数の縦長六角形の網目４が形成され、ラス網状の保護具本体１が形成される。合成樹脂シートを左右幅方向に伸長させる際、合成樹脂シートの左右幅方向に円弧状に曲がる曲面に沿って、合成樹脂シートを加熱しながら伸長させることにより、保護具本体１が丸く円筒状となるように成形することができるが、合成樹脂シートを単純に左右幅方向に伸張させて、平坦なラス網状の保護具本体１として製造することもできる。何れの場合においても、保護具本体１には縦長六角形の網目４が多数形成されたラス網状に形成されるので、保護具本体１は、図２の左右横方向に収縮弾性変形または伸長弾性変形が可能となっている。
【００２１】
図１に示す保護具本体１は、製造時、合成樹脂シートの左右幅方向に円弧状に曲がる曲面に沿って、合成樹脂シートを加熱しながら伸長させ、フリー状態で幅方向を丸く曲げた円筒状となるものである。保護具本体１は、フリー状態で幅方向を丸く曲げた円筒状に形成され、円筒状の保護具本体１はその縮径方向またはその拡径方向に弾性変形可能となっている。
【００２２】
ラス網状に成形された保護具本体１の縦長六角形の網目４は、図２に示すように、その左右の網足左右部７が網足上下部６の２倍の太さとなる。つまり、網目４を正面から見た場合、細い２本の網足上下部６が上下左右で一体となって２倍の太さの網足左右部７を形成しており、図２のように、保護具本体１を所定の高さ幅と左右の裁断する場合、網足左右部７を水平方向に裁断し、網足左右部７を左右の端部で縦方向に裁断する。
【００２３】
このため、保護具本体１の上下端部は、太さの太い網足上下部６が上下の端部に位置して、形状を保持し、左右端部は、網足上下部６がその半分の幅で現れ、これにより、網目４が乱れることなく、保護具本体１の形状を正確に保持することができるようになっている。
【００２４】
上記樹木保護具は、帯状に成形された保護具本体１をロール状にして巻装された形態で製造し、ユーザに提供することができるが、所定の高さ幅に成形された帯状の保護具本体１を、所定の長さの左右幅に裁断して、長方形の保護具としてユーザに提供することもできる。
【００２５】
上記構成の樹木保護具は、樹木の樹皮等が、鹿、熊などの獣害により、樹皮剥ぎされ、或いは食害される被害が予想される樹木の幹等の周囲に、図３に示すように、巻き付けて装着される。
【００２６】
保護具本体１がロール状に成形されている場合、樹木保護具は円筒状の形態を有し、その縮径方向及び拡径方向に弾性変形可能となっているので、樹木の幹等の周囲には、簡単に保護具本体１を巻き付けるように装着することができる。そして、樹木の周囲に巻き付けた状態の保護具本体１はその左右の幅方向の端部に重なり部が生じることとなるが、このような重なり部は、図３のように、結束バンド等の結束帯体８により結束される。
【００２７】
これにより、樹木の幹等は、ラス網状の保護具本体１を有する樹木保護具により覆われることとなり、鹿、熊などの樹皮剥ぎの獣害や食害から、樹木の樹皮を保護することができる。
【００２８】
また、樹木保護具を樹木の周囲に巻き付けて装着したとき、円筒状の保護具本体１はその縮径方向または拡径方向に弾性変形可能とされるので、樹木の周囲に巻き付けて装着する際には、保護具本体１の縮径方向または拡径方向の弾性変形な性質を利用して、非常に簡単に、且つ良好な作業性で、樹木の周囲に装着することができる。
【００２９】
また、保護具本体１はラス網状に形成されるので、樹皮と保護具本体１との間に雨水や害虫などが溜まる不具合はなく、樹皮に太陽光を良好に当てることもでき、鹿、熊などによる樹皮剥ぎや樹皮の食害から樹木を良好に保護しつつ、樹木の生育を良好に保つことができる。
【００３０】
さらに、保護具本体１はその縮径方向または拡径方向に弾性変形可能に樹木に装着されるので、樹木の外径に大小や凹凸があっても、その外周面に良好にフィットさせることができ、また、樹木の生長に伴い樹木の太さが増大しても、保護具本体１がその円周方向に自在に伸長し、樹木の生長を妨げることはない。
【００３１】
なお、上記の樹木保護具は、獣害からの樹皮の保護を目的として、樹木の幹等に装着したが、例えば、樹高の非常に高い熱帯樹木のような、高い樹木の上部幹の周囲に装着し、熱帯樹木の枝葉が落下することを樹木保護具によって防止するために、使用することもできる。
【符号の説明】
【００３２】
１      保護具本体
２      幅方向端部
４      網目
５      切れ目
６      網足上下部
７      網足左右部
８      結束帯体
【図１】
0003171117.tif 000003
【図２】
0003171117.tif 000004
【図３】
0003171117.tif 000005